(57)【特許請求の範囲】
【請求項１】
複数のテレビ放送チャンネルに対する選局指示入力を行うための入力手段と、
前記選局指示入力に応じて前記複数のテレビ放送チャンネルから該当するチャンネルを選局する選局手段と、
前記選局指示入力に対応する選局処理に応じてチャンネル情報画面を生成する生成手段と、
前記選局指示入力が連続して行われるとき、選局されるチャンネル番号と順番を記録する記録手段と、
前記選局指示入力が連続して行われるとき、新たなチャンネルの選局時に、この選局されたチャンネル情報画面を直前に表示されていたチャンネル情報画面の上に一部重ねて表示し、表示枚数が規定個数のとき新たに前記選局指示入力された場合は、表示されてから最も時間の経つチャンネル情報画面を非表示にする画面表示手段と、
前記複数のテレビ放送チャンネルの番組情報を取得する情報取得手段と
を具備し、
前記画面表示手段は、各チャンネル情報画面に、少なくとも前記記録手段に記録されるチャンネル番号と、前記情報取得手段で取得される該当チャンネルの番組情報を多重表示することを特徴とするテレビ放送受信装置。
【請求項２】
前記入力手段は、前記選局操作入力用の操作キーとは別に複数の選択キーを備え、前記選局指示入力によって指示されたチャンネルを前記複数の選択キーに順次対応付けておき、
前記画面表示手段は、前記複数の選択キーのいずれかの選択操作に応じて、対応づけられているチャンネル情報画面を最前面に表示することを特徴とする請求項１記載のテレビ放送受信装置。
【請求項３】
前記入力手段は、一つ以上前の状態に戻ることを指示する「戻るキー」と一つ以上先の状態に進むことを指示する「進むキー」を備え、
前記画面表示手段は、前記「戻るキー」と「進むキー」の入力操作に応じて、その入力操作前に最前面に表示されているチャンネル情報画面から、入力指示に応じた次のチャンネル情報画面を最前面に表示することを特徴とする請求項１記載のテレビ放送受信装置。
【請求項４】
前記画面表示手段は、選局操作毎にチャンネル情報画面を切り換える単画面表示モードと、選局操作毎にチャンネル情報画面を一部重ねて表示する多画面表示モードとを備え、初期状態を単画面表示モードとし、テレビ放送および外部映像音声入力のチャンネル切換があった時に自動的に前記多画面表示モードに切り換えて多画面表示し、一定時間操作が無かった場合に単画面表示モードに切り換えることを特徴とする請求項１記載のテレビ放送受信装置。
【請求項５】
複数のテレビ放送チャンネルに対する選局指示を入力し、
前記選局指示入力に応じて前記複数のテレビ放送チャンネルから該当するチャンネルを選局し、
前記選局指示入力に対応する選局処理に応じてチャンネル情報画面を生成し、
前記選局指示入力が連続して行われるとき、選局されるチャンネル番号と順番を記録し、
前記選局指示入力が連続して行われるとき、新たなチャンネルの選局時に、この選局されたチャンネル情報画面を直前に表示されていたチャンネル情報画面の上に一部重ねて表示し、表示枚数が規定個数のとき新たに前記選局指示入力された場合は、表示されてから最も時間の経つチャンネル情報画面を非表示にし、
前記複数のテレビ放送チャンネルの番組情報を取得し、
前記チャンネル情報画面の画面表示は、各チャンネル情報画面に、少なくとも前記記録されるチャンネル番号と、前記情報取得手段で取得される該当チャンネルの番組情報を多重表示することを特徴とするテレビ放送受信装置の選局画面表示方法。
【発明の詳細な説明】
【技術分野】
【０００１】
本発明は、テレビ放送波から放送チャンネルを選局する毎に選局チャンネルの情報表示画面を表示するテレビ放送受信装置と選局画面表示方法に関する。
【背景技術】
【０００２】
テレビ放送受信装置では、ユーザが放送チャンネルを素早く切り換えて表示させてそれぞれの内容を確認し、視聴したい番組を選択する場合が多い。このとき、選局に合わせて画面が切り替わると、どのチャンネルで視聴したいと感じた番組が行われているか覚えていられず、再度、チャンネル選択操作を行うことがあった。
【０００３】
ところで、テレビ放送受信装置において、チャンネル選局毎にチャンネル情報画面を生成して表示画面上に順次表示するようにし、各画面のふちに赤、青、緑、黄のいずれかの色をつけておき、４色のカラーボタンを選択的に押すことにより、複数の画面のうちの一つを選択可能とする多画面表示モードが提案されている（例えば特許文献１参照）。
【０００４】
但し、上記のような従来の多画面表示モードでは、４画面表示において全ての映像を同時に表示するようにしている。この表示の仕方は、個々の画面が小さくなるため、必要最小限の情報しか表示することができない。
【特許文献１】特開２００４−３３６４１４号公報（請求項１〜３、図４〜７）
【発明の開示】
【発明が解決しようとする課題】
【０００５】
以上述べたように、従来のテレビ放送受信装置では、選局に応じてチャンネル情報表示画面を予め決められた大きさで所定の領域に表示するにすぎず、個々の画面が小さくて見づらいものであった。
【０００６】
本発明は上記の課題を解決すべく、選局に応じたチャンネル情報表示画面を適度な大きさで順次表示することができ、ユーザにとって見やすくかつ選局操作が簡単なテレビ放送受信装置とその選局画面表示方法を提供することを目的とする。
【課題を解決するための手段】
【０００７】
上記問題を解決するために、本発明に係るテレビ放送受信装置は、複数のテレビ放送チャンネルに対する選局指示入力を行うための入力手段と、前記選局指示入力に応じて前記複数のテレビ放送チャンネルから該当するチャンネルを選局する選局手段と、前記選局指示入力に対応する選局処理に応じてチャンネル情報画面を生成する生成手段と、前記選局指示入力が連続して行われるとき、選局されるチャンネル番号と順番を記録する記録手段と、前記選局指示入力が連続して行われるとき、新たなチャンネルの選局時に、この選局されたチャンネル情報画面を直前に表示されていたチャンネル情報画面の上に一部重ねて表示し、表示枚数が規定個数のとき新たに前記選局指示入力された場合は、表示されてから最も時間の経つチャンネル情報画面を非表示にする画面表示手段とを具備することを特徴とする。
【０００８】
また、本発明に係るテレビ放送受信装置の選局画面表示方法は、複数のテレビ放送チャンネルに対する選局指示を入力し、前記選局指示入力に応じて前記複数のテレビ放送チャンネルから該当するチャンネルを選局し、前記選局指示入力に対応する選局処理に応じてチャンネル情報画面を生成し、前記選局指示入力が連続して行われるとき、選局されるチャンネル番号と順番を記録し、前記選局指示入力が連続して行われるとき、新たなチャンネルの選局時に、そのチャンネル情報画面を直前に表示されていたチャンネル情報画面の上に一部重ねて表示し、表示枚数が規定個数を超える場合は、表示されてから最も時間の経つチャンネル情報画面を非表示にすることを特徴とする。
【０００９】
すなわち、本発明では、多画面において、選局したチャンネルの映像を選局順にずらしながら重ねるようにして最前面に表示し、最も長い時間が経った（"Least Recently Used"）のチャンネルを非表示にすることで、個々の表示画面が適度な大きさで順に表示されるようにしている。
【発明の効果】
【００１０】
したがって、本発明によれば、選局に応じたチャンネル情報表示画面を適度な大きさで順次表示することができ、ユーザにとって見やすくかつ選局操作が簡単なテレビ放送受信装置とその選局画面表示方法を提供することができる。
【発明を実施するための最良の形態】
【００１１】
以下、本発明の実施の形態について図面を参照して詳細に説明する。
【００１２】
図１は本発明に係るテレビ放送受信装置を用いたテレビ放送受信システムの構成を示すブロック図である。図１に示すシステムは、本発明に係るテレビ放送受信装置１０１、モニタ１０２、リモートコントローラー（以下リモコンと略する）１０３、アンテナ部１０５を含む。テレビ放送受信装置１０１は、複数種のテレビ放送局（アナログ/デジタルの地上波放送・ＢＳ放送・ＣＳ放送・ＣＡＴＶ等）１０４ａ，１０４ｂ，１０４ｃ，１０４ｄからのテレビ放送信号をそれぞれに対応するアンテナ部１０５ａ，１０５ｂ，１０５ｃ，１０５ｄを通じて受信する。
【００１３】
このテレビ放送受信装置１０１は、放送受信に必要なＴＶチューナー等の各種処理装置を備えており、リモコン１０３から送信される各種の処理の指示信号に応じた選局・復調・映像／音声再生処理などを行い、該当する番組内容を映像/音声信号としてモニタ１０２へ出力する。
【００１４】
アンテナ部１０５ａ〜１０５ｄは、各放送局１０４ａ〜１０４ｄから送信されてくる放送信号の電波／光を受け、それを電気信号としてテレビ放送受信装置１０１へ供給する。リモコン１０３は、テレビ放送受信装置１０１に備えられる入力装置であり、ユーザの入力操作により指示される選局チャンネル番号などを赤外線でテレビ放送受信装置１０１に対して発信する。テレビ放送受信装置１０１は、このリモコン１０３からの赤外線による指示信号を受け取り、例えばその指示信号が選局チャンネル番号ならば、それに該当するチャンネルの放送波を受信復調処理して映像・音声信号を再生し、モニタ１０２に出力する。
【００１５】
図２は、テレビ放送受信装置１０１を赤外線により制御するリモコン１０３の構成例を示す外観図である。このリモコン１０３は、電源ボタン２０１、チャンネル選局ボタン（数字）２０２、チャンネル選局ボタン（＋）２０３、チャンネル選局ボタン（−）２０４、入力切換ボタン２０５、メニューボタン２０６、右ボタン２０７、左ボタン２０８、上ボタン２０９、下ボタン２１０、戻るボタン２１１、終了ボタン２１２、決定ボタン２１３を備え、それぞれのボタンを押すことによってそのボタンに割り当てられた指示内容の信号を赤外線によってテレビ放送受信装置１０１に送信する。テレビ放送受信装置１０１は、上記ボタン２０６−２１３の操作入力に応じて、モニタ１０２に選局メニュー項目を画面表示し、その操作ボタンに割り当てられた操作指示に従って各項目の処理内容を選択的に実行する。
【００１６】
尚、図２において、２１４はデータ放送ボタン、２２１はカラーキー（青）、２２２はカラーキー（赤）、２２３はカラーキー（緑）、２２４はカラーキー（黄）、２３０は多画面起動ボタン、２３１は多画面選択ボタン(進む)、２３２は多画面選択ボタン(戻る)を示している。
【００１７】
図３は、上記テレビ放送受信装置１０１の内部構成を示すブロック図である。図３において、３０８はデータバスであり、このデータバス３０８には各種信号処理を指示するＣＰＵ（制御処理装置）３０５、ＣＰＵ３０５の処理プログラム、各種設定パラメータを格納するＲＯＭ（読み出し専用メモリ）３０６、ＣＰＵ３０５の作業領域となるＲＡＭ（書き込み・読み出しメモリ）３０７の他、映像・音声入力処理回路３０２ａ〜３０２ｄ、赤外線受信部３０３、映像・音声出力処理回路３０４等が接続される。尚、図３では、制御系は省略しており、各処理ブロックはＣＰＵ３０５の制御下にあるものとする。
【００１８】
上記赤外線受信部３０３は、リモコン１０３からの指示入力を示す赤外線信号を受信するもので、その指示入力はデータバス３０８を介してＣＰＵ３０５に送られる。ＣＰＵ３０５は、起動時にＲＯＭ３０６に格納されるプログラムをロードし、そのプログラムに従って、リモコン１０３等からの入力指示に対応する処理を各該当処理回路に指示する。
【００１９】
一方、アンテナ１０５ａ〜１０５ｄで受けたテレビ放送局１０４ａ〜１０４ｄからの放送電波／光はＴＶチューナー３０１ａ〜３０１ｄに入力される。ＴＶチューナー３０１ａ〜３０１ｄは、ＣＰＵ３０５から選局指示があった場合に、指示された放送局（チャンネル）の放送信号を選局する。各ＴＶチューナー３０１ａ〜３０１ｄで選局された放送信号は、それぞれ対応して設けられる映像・音声入力処理回路３０２ａ〜３０２ｄに入力され、復調等の処理が施されて、データバス３０８を介して映像・音声出力処理回路３０４に送られる。映像・音声出力処理回路３０４は、ＣＰＵ３０５からの指示により、映像・音声入力処理回路３０２ａ〜３０２ｄからの映像・音声信号に予め指定される調整を施したり、チャンネル選局や設定項目を選択するためのメニュー画面を作成したりして、それぞれを選択的にモニタ１０２へ出力する。これにより、モニタ１０２に、選局されたチャンネルの番組が提示され、必要に応じて各種メニュー項目が画面表示される。
【００２０】
以下に、上記テレビ放送受信装置１０１の動作を、図４乃至図８に示す機能別フローチャートと、図９乃至図１７に示す画面表示例を参照して説明する。
【００２１】
まず、受信装置１０１は、選局ごとにチャンネル情報表示画面を切り換える単画面表示モードと、選局ごとにチャンネル情報表示画面を重ねて表示する多画面表示モードとを備え、初期モードでは単画面表示モードとなっており、ユーザの指定によって多画面表示モードに切り換えられる。
【００２２】
図４は、単画面表示モードから多画面表示モードに切り換えるための処理手順を示すフローチャートであり、リモコン１０３から電源ボタン２０１に対する操作入力があると、起動して単画面表示モードを実行し（ステップＳ１１）、リモコン１０３から多画面起動ボタン２０３に対する操作入力の通知を受けて（ステップＳ１２）、多画面表示モードに切り換える（ステップＳ１３）。
【００２３】
図９は、多画面表示モードにおいて、４チャンネルの選局操作を行った時点での多画面表示例を示している。本発明の多画面表示では、４枚の映像Ｂ４０２、映像Ｃ４０３、映像Ｄ４０４、映像Ｅ４０５が、それぞれ過去に選局したチャンネルの順番に、上下左右の少なくともいずれかにずらしながら積み重なって表示される。４１２〜４１５は、それぞれ映像Ｂ〜Ｅに対応する情報表示の例で、ａはカラーキー表示、ｂは放送局ロゴ表示、ｃはチャンネル番号、ｄは番組名・番組情報を表している。
【００２４】
以下、多画面表示モードでの各種操作入力に対する表示処理について、例をあげて説明する。
【００２５】
図５は、多画面表示において、チャンネル選局操作を続けて行う場合の多画面表示内容を示すフローチャートで、（ａ）は選局ボタン２０３，２０４，２３１，２３２の操作による多画面表示動作、（ｂ）はカラーキー２２１〜２２４の操作による多画面表示動作の処理の流れを示している。
【００２６】
まず、図５（ａ）の多画面表示処理では、多画面表示モードの設定後（ステップＳ２１）、チャンネル選局ボタン（数字，＋，−）２０２〜２０４の選択的操作を受け付け、順次対応する選局処理を実行して、それぞれのチャンネル情報表示画面を順次表示する（ステップＳ２２）。
【００２７】
ここで、図９に示す表示状態で、ユーザが、チャンネル選局ボタン２０２〜２０４に対する操作入力を行って、映像Ａ４０１の放送を選局したとする。この場合、選局表示されてから最も長い時間が経ったＬＲＵ（”Least Recently Used”）のチャンネルの表示画面を非表示にして（ステップＳ２３）、直前に視聴していたチャンネルの映像より右（または左）または下（または上）に若干ずれた位置に、その新たに選局したチャンネルの映像を最前面に表示する（ステップＳ２４）。例えば、映像Ｅ４０５が使われてから最も長い時間が経った映像であった場合、図１０に示すように、映像Ｅ４０５は非表示状態となり、映像Ｂ４０２、映像Ｃ４０３、映像Ｄ４０４は、使われてから時間がたった順番に重なって表示され、新たに選局した映像Ａ４０１が最前面に表示される。
【００２８】
尚、ここで「使われてから最も長い時間が経ったＬＲＵ（”Least Recently Used”）」の「使われてから」とは、「最前面に表示されてから」と「新規に選局されてから」のどちらか一方または組み合わせと定義する。
【００２９】
次に、図５（ｂ）の多画面表示処理では、多画面表示モードで複数のチャンネル表示が行われた状態で（ステップＳ３１）、カラーキー（青、赤、緑、黄）２２１〜２２４の選択的操作を受け付け（ステップＳ３２）、操作されたカラーキーに対応するチャンネル表示画面を最前面に表示する（ステップＳ３３）。
【００３０】
すなわち、上記の処理を実行するために、各チャンネルの表示画面に、それぞれ青、赤、緑、黄のいずれかの色が順に割り当て、画面の一部に色表示しておく。一方で、リモコン１０３の各カラーキー２２１〜２２４をそれぞれのチャンネル表示画面の割り当て色に対応づけておく。この状態で、ユーザはがカラーキーの青２２１、赤２２２、緑２２３、黄２２４のいずれかを操作入力することで、最前面に表示するチャンネルを、それぞれダイレクトに切り換えることが可能となる。図１１乃至図１４に、それぞれ多画面表示においてカラーキーの青、赤、緑、黄ボタンを押した直後の表示例を示す。
【００３１】
また、ユーザは、多画面選択ボタン（進む）２３１または多画面選択ボタン（戻る）２３２を使用して、最前面に表示するチャンネルをそれぞれ過去に選局したチャンネルに遡って、切り換えることが可能である。図６（ａ）に、戻るボタン２３２を使用した場合の処理手順を示し、図６（ｂ）に進むボタン２３１を使用した場合の処理手順を示す。
【００３２】
図６（ａ）において、多画面表示モードに設定されている状態で（ステップＳ４１）、多画面選択ボタン（戻る）２３２を押す操作を行った場合（ステップＳ４２）、最前面に表示しているチャンネルがＬＲＵのチャンネルである場合は、そのままの状態とし（ステップＳ４４）、ＬＲＵのチャンネルでない場合は、直前に選択したチャンネル表示画面を最前面に再表示する（ステップＳ４５）。具体的には、多画面選択ボタン（戻る）２３２が押されるごとに、図１１、図１２、図１３、図１４の順番に表示が切り替わる。
【００３３】
図６（ｂ）において、多画面表示モードに設定されている状態で（ステップＳ５１）、多画面選択ボタン（進む）２３１を押す操作を行った場合（ステップＳ５２）、最前面に表示しているチャンネルがＭＲＵ（”Most Recently Used”）のチャンネルである場合は、そのままの状態とし（ステップＳ５４）、ＭＲＵのチャンネルでない場合は、直前に選択したチャンネル表示画面を最前面に再表示する（ステップＳ５５）。具体的には、多画面選択ボタン（進む）２３１が押されるごとに、図１４、図１３、図１２、図１１の順番に表示が切り替わる。
【００３４】
上記多画面表示モードは、ユーザの指示によって単画面表示モードに戻すことができる。この処理は、図７に示す処理手順による。図７において、多画面表示モードの実行中に（ステップＳ６１）、多画面起動ボタン２３０が押され、戻るボタン２１１または終了ボタン２１２が押されると（ステップＳ６２）、単画面表示モードに設定される（Ｓ６３）。
【００３５】
図４及び図７は、いずれもユーザの手動操作により単画面表示モードと多画面表示モードを切り換える処理であるが、このモード切換を自動化するための多画面自動切換設定のＯＮ／ＯＦＦ機能を装備すると、ユーザにとって操作の煩雑さを解消するための選択肢が増えて便利である。図８にその一例を示す。
【００３６】
図８は、多画面自動切換のＯＮ／ＯＦＦ設定がなされた後、チャンネル選局時に単画面表示モードから多画面表示モードに自動切換し、一定時間無操作状態のときに自動的に多画面表示モードから単画面表示モードに戻るようにした処理手順を示すフローチャートである。図８（ａ）は、単画面表示モードから多画面表示モードへの自動切換、図８（ｂ）は、多画面表示モードから単画面表示モードへの自動切換を示している。また、図１５は単画面表示においてチャンネル選局前の状態の表示例、図１６はチャンネル選局時に単画面から多画面に自動切換された直後の表示例、図１７は一定時間無操作状態で自動的に多画面から単画面に戻った直後の表示例を示している。
【００３７】
図８（ａ）において、起動時に図１５の単画面表示モードとなっている状態で（ステップＳ７１）、チャンネル選局ボタン（数字、＋、−）２０２〜２０４のいずれが押されたとき（ステップＳ７２）、多画面自動切換設定がＯＮとなっているか否かを判断し（ステップＳ７３）、ＯＦＦならばステップＳ７１に戻って単画面表示モードを継続し、ＯＮならば図１６に示す多画面表示モードに切換設定する（ステップＳ７４）。
【００３８】
また、図８（ｂ）において、図１６に示す多画面表示モードとなっている状態で（ステップＳ８１）、チャンネル選局ボタン（数字、＋、−）２０２〜２０４のいずれが押されたとき（ステップＳ８２）、多画面自動切換設定がＯＮしているが、一定時間以上操作入力がないか否かを判断し（ステップＳ８３）、ステップＳ８１に戻って操作入力がある場合には多画面表示モードを継続させ、操作入力がない場合には自動的に図１７に示す単画面表示モードに戻る（ステップＳ８４）。
【００３９】
以上のように、上記構成によるテレビ放送受信装置によれば、多画面において、選局したチャンネルの映像を選局順にずらしながら重ねるようにして最前面に表示し、さらにＬＲＵのチャンネルを非表示にするようにしているので、個々のチャンネル表示画面を適度な大きさで順に表示することができ、ユーザにとって見やすくかつ選局操作が簡単になる効果が得られる。また、各チャンネル表示画面をカラーキーと対応させることで、カラーキーの１回の選択操作で任意のチャンネル表示画面を最前面に表示することが可能となり、非常に便利な操作性が得られる。
【００４０】
尚、上記実施形態において、テレビ放送受信装置１０１は、モニタ１０２に内蔵されていてもよい。また、上記実施形態では、視聴専用のテレビ放送受信装置１０１を想定しているが、磁気ディスク、光ディスク、半導体メモリを搭載した映像・音声情報を記録することのできる機器に付随し、多画面表示の映像を表示・録画・再生・出力する機能を有する複合的なテレビ放送受信装置にも同様に実施可能である。
【００４１】
また、メモリ、ＣＰＵパフォーマンス、バス幅、チューナー等のシステムの性能・構成上の制約がある場合、表示する映像の一部は静止画として表示してもよい。また、上記実施形態は、４個のチューナーを搭載して４チャンネルを画面表示するシステムの場合について説明したが、それ以外の単チューナーまたは多チューナー搭載の多画面表示についても同様に実施可能である。また、多画面選択ボタン（進む）２３１、多画面選択ボタン（戻る）２３２の代わりに、右ボタン２０７と左ボタン２０８または上ボタン２０９と下ボタン２１０を割り当ててもよい。
【００４２】
その他、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４３】
【図１】本発明の一実施形態として、本発明に係るテレビ放送受信装置を用いたテレビ放送受信システムの構成を示すブロック図。
【図２】図１におけるリモコン１０３の構成例を示す図。
【図３】図１におけるテレビ放送受信装置１０１の内部構成を示すブロック図。
【図４】上記実施形態の単画面表示モードから多画面表示モードに切り換える処理手順を示すフローチャート。
【図５】上記実施形態の多画面表示モード中の選局ボタン、カラーキーそれぞれの操作入力に対応する処理手順を示すフローチャート。
【図６】上記実施形態の多画面表示モード中の戻るボタン、進むボタンそれぞれの操作入力に対応する処理手順を示すフローチャート。
【図７】上記実施形態の多画面表示モードから単画面表示モードに切り換える処理手順を示すフローチャート。
【図８】上記実施形態において、単画面−多画面自動切換のＯＮ／ＯＦＦ設定時の処理手順を示すフローチャート。
【図９】上記実施形態の多画面表示において、チャンネル選局前の状態の表示例を示す図。
【図１０】上記実施形態の多画面表示において、チャンネル選局後の状態の表示例を示す図。
【図１１】上記実施形態の多画面表示において青ボタンを押した直後の表示例を示す図。
【図１２】上記実施形態の多画面表示において赤ボタンを押した直後の表示例を示す図。
【図１３】上記実施形態の多画面表示において緑ボタンを押した直後の表示例を示す図。
【図１４】上記実施形態の多画面表示において黄ボタンを押した直後の表示例を示す図。
【図１５】上記実施形態の単画面表示においてチャンネル選局前の状態の表示例を示す図。
【図１６】上記実施形態のチャンネル選局時に単画面から多画面に自動切換直後の表示例を示す図。
【図１７】上記実施形態の一定時間無操作状態で自動的に多画面から単画面に戻った直後の表示例を示す図。
【符号の説明】
【００４４】
１０１…テレビ放送受信装置、１０２…モニタ、１０３…リモートコントローラー（リモコン）、１０４ａ〜１０４ｄ…テレビ放送局、１０５ａ〜１０５ｄ…アンテナ部、２０１…電源ボタン、２０２…チャンネル選局ボタン（数字）、２０３…チャンネル選局ボタン（＋）、２０４…チャンネル選局ボタン（−）、２０５…入力切換ボタン、２０６…メニューボタン、２０７…右ボタン、２０８…左ボタン、２０９…上ボタン、２１０…下ボタン、２１１…戻るボタン、２１２…終了ボタン、２１３…決定ボタン、２１４…データ放送ボタン、２２１…カラーキー（青）、２２２…カラーキー（赤）、２２３…カラーキー（緑）、２２４…カラーキー（黄）、２３０…多画面起動ボタン、２３１…多画面選択ボタン（進む）、２３２…多画面選択ボタン（戻る）、３０１ａ〜３０１ｄ…ＴＶチューナー、３０２ａ〜３０２ｄ…映像・音声入力処理回路、３０３…赤外線受信部、３０４…映像・音声出力処理回路、３０５…ＣＰＵ、３０６…ＲＯＭ、３０７…ＲＡＭ、３０８…データバス、４０１…映像Ａ、４０２…映像Ｂ、４０３…映像Ｃ、４０４…映像Ｄ、４０５…映像Ｅ、４１１…映像Ａに対応する情報表示の例、４１２…映像Ｂに対応する情報表示の例、４１３…映像Ｃに対応する情報表示の例、４１４…映像Ｄに対応する情報表示の例、４１５…映像Eに対応する情報表示の例、ａ…カラーキー(青、赤、緑、黄)表示、ｂ…放送局ロゴ表示、ｃ…チャンネル番号、ｄ…番組名・番組情報。
【図１】
0005283864.tif 000002
【図２】
0005283864.tif 000003
【図３】
0005283864.tif 000004
【図４】
0005283864.tif 000005
【図５】
0005283864.tif 000006
【図６】
0005283864.tif 000007
【図７】
0005283864.tif 000008
【図８】
0005283864.tif 000009
【図９】
0005283864.tif 000010
【図１０】
0005283864.tif 000011
【図１１】
0005283864.tif 000012
【図１２】
0005283864.tif 000013
【図１３】
0005283864.tif 000014
【図１４】
0005283864.tif 000015
【図１５】
0005283864.tif 000016
【図１６】
0005283864.tif 000017
【図１７】
0005283864.tif 000018